(57)【要約】【課題】安全靴用金属ヘッドの提供。【解決手段】安全靴用の金属ヘッドに関するものである。それは安全靴のヘッド形状に合わせて作られたものである。その金属ヘッドに一つの前部が狭く後部が広いアーク状を呈する外周側板、一つの外周側板のトップ端から内部へ伸す上面板、及び一つの外周側板の底端から内部へ伸ばす底部のエッジ板を含むことで、その金属ヘッドの後端に一つのアーチ型の開口部が構成され、その上面板と外周側板の間にトップのアーク部で接続するし、そのトップのアーク部の外周側板から上面板の方向へだんだん厚さが増えるため、その上面板の厚さが外周側板より厚いので、金属ヘッドの圧力抵抗の強度を高めるし、金属ヘッドの元の幅サイズ及び型がそれに影響されないのである。【選択図】図４
0003120914.tif 000002
【実用新案登録請求の範囲】
【請求項１】
安全靴用の金属ヘッドに関するものであり、それは安全靴のヘッド形状に合わせて作られたもので、その金属ヘッドに一つの前部が狭く後部が広いアーク状を呈する外周側板、一つの外周側板のトップ端から内部へ伸す上面板、及び一つの外周側板の底端から内部へ伸ばす底部のエッジ板を含むことで、その金属ヘッドの後端に一つのアーチ型の開口部が構成され、その上面板と外周側板の間にトップのアーク部で接続し、そのトップのアーク部の外周側板から上面板の方向へだんだん厚さが増えるため、その上面板の厚さが外周側板より厚いのであることを特徴とする安全靴用金属ヘッド。
【請求項２】
請求項１に記載される安全靴用の金属ヘッドにおいて、そのうち、その金属ヘッドの材質はアルミ又はアルミ合金を使用するのであることを特徴とする安全靴用金属ヘッド。
【請求項３】
請求項１に記載される安全靴用の金属ヘッドにおいて、そのうち、その上面板の後部に一つの底部の斜面を設けることで、後端の開口部へ向かってだんだん厚さを縮めることを特徴とする安全靴用金属ヘッド。
【請求項４】
請求項１に記載される安全靴用の金属ヘッドにおいて、そのうち、その上面板の一つの表面に複数個の凸条片を含むことを特徴とする安全靴用金属ヘッド。
【請求項５】
請求項１に記載される安全靴用の金属ヘッドにおいて、そのうち、その外周側板と底部のエッジ板の間に底のアーク部で接続し一体になり、更に、その底のアーク部の外周側板から底部のエッジ板の方向へだんだん厚さが増えることで、その底部のエッジ板の厚さが外周側板の厚さより厚いのであることを特徴とする安全靴用金属ヘッド。
【請求項６】
請求項５に記載される安全靴用の金属ヘッドにおいて、そのうち、その上面板の厚さが底部のエッジ板の厚さより厚いのであることを特徴とする安全靴用金属ヘッド。
【考案の詳細な説明】
【技術分野】
【０００１】
この考案は安全靴用の金属ヘッドに関するものである。特に安全靴専用の金属ヘッドを指すのである。
【背景技術】
【０００２】
一般の工場又は工事現場等の場所に、重いものが落ちる時、作業員の足の指を圧して怪我になることを避けるため、強制的に安全靴を履く規定がある。現在の安全靴は主に靴のヘッドに一つのスチール製ヘッド又はプラスチックスチール製ヘッドを設けることで、外力の衝撃を受けることができる。その中に、スチール製ヘッドがより衝撃を耐えられるが、全体の重量がより重い。又、プラスチックスチール製ヘッドの重量がより軽いが、圧力抵抗の強度が良くない。
【０００３】
図１、２で示す従来のスチール製ヘッドの構造に、一つの前部が狭く後部が広いU形のアーク状を呈する外周側板を含む。その外周側板のトップ端から共同に内部へ上面板を伸びて設けてあるし、その底端から内部へ底部のエッジ板を伸びて設けてあるので、スチール製ヘッドの後端に一つのアーチ型の開口部を構成することで、足の指の入れる空間が形成される。
【０００４】
上述のスチール製ヘッドはスチール板を使ってプレスで一体成型され、その外周側板、上面板及び底部の縁板はすべて同一の厚さを持つ。その上面板の圧力抵抗の強度を考慮するため、全体の厚さサイズを縮減することができないので、スチール製ヘッドの重さがとても重くて、履いて歩く時の快適性が影響される。
【０００５】
特に、重いものが落ちて靴のヘッドにぶつかる場合、そのスチール製ヘッドが主に上面板でその衝撃力を受けてから、 外周側板及び底部の縁板を通して靴の底部に伝えるが、その中に最も崩れるか変形する虞がある上面板及び底部の縁板に特別の強化構造を備えていないため、圧力抵抗効果に影響が出るので、もっと改善することが必要である。
【考案の開示】
【考案が解決しようとする課題】
【０００６】
この考案の目的は安全靴用の金属ヘッドを提供するものである。それは金属ヘッドの元の幅サイズ及び型を変更しない状態で有効に圧力抵抗の強度を高めるし、アルミ又はアルミ合金の材質を使って軽量型の構造を達成することができるので、産業上の利用価値を持つのである。
【０００７】
上述の目的を達成するため、この考案の金属ヘッドは安全靴のヘッド形状に合わせて作られたものである。その金属ヘッドに一つの前部が狭く後部が広いアーク状を呈する外周側板、一つの外周側板のトップ端から内部へ伸す上面板、及び一つの外周側板の底端から内部へ伸ばす底部のエッジ板を含むことで、その金属ヘッドの後端に一つのアーチ型の開口部が構成され、その上面板と外周側板の間にトップのアーク部で接続するし、そのトップのアーク部が外周の側板から上面板の方向へだんだん厚さが増えるため、その上面板の厚さが外周側板より厚いので、金属ヘッドの圧力抵抗の強度を高めるし、金属ヘッドの元の幅サイズ及び型がそれに影響されないし、アルミ又はアルミ合金の材質を使って軽量型の構造を達成することができる。
【０００８】
ベター実施例の中に、その外周側板及び底部のエッジ板の間に底のアーク部で接続するし、その底部のアーク部が外周の側板から底部のエッジ板の方向へだんだん厚さが増えるため、その底部のエッジ板の厚さが外周側板より厚いので、その圧力抵抗の強度を高めることができる。
【課題を解決するための手段】
【０００９】
請求項１の考案は、安全靴用の金属ヘッドに関するものである。それは安全靴のヘッド形状に合わせて作られたものであり、その金属ヘッドに一つの前部が狭く後部が広いアーク状を呈する外周側板、一つの外周側板のトップ端から内部へ伸す上面板、及び一つの外周側板の底端から内部へ伸ばす底部のエッジ板を含むことで、その金属ヘッドの後端に一つのアーチ型の開口部が構成され、その上面板と外周側板の間にトップのアーク部で接続し、そのトップのアーク部の外周側板から上面板の方向へだんだん厚さが増えるため、その上面板の厚さが外周側板より厚いのであることを特徴とする安全靴用金属ヘッドとしている。
請求項２の考案は、請求項１に記載される安全靴用の金属ヘッドに関するものである、その金属ヘッドの材質はアルミ又はアルミ合金を使用するのであることを特徴とする安全靴用金属ヘッドとしている。
請求項３の考案は、請求項１に記載される安全靴用の金属ヘッドにおいて、そのうち、その上面板の後部に一つの底部の斜面を設けることで、後端の開口部へ向かってだんだん厚さを縮めることを特徴とする安全靴用金属ヘッドとしている。
請求項４の考案は、請求項１に記載される安全靴用の金属ヘッドにおいて、そのうち、その上面板の一つの表面に複数個の凸条片を含むことを特徴とする安全靴用金属ヘッドとしている。
請求項５の考案は、請求項１に記載される安全靴用の金属ヘッドにおいて、そのうち、その外周側板と底部のエッジ板の間に底のアーク部で接続し一体になり、更に、その底のアーク部の外周側板から底部のエッジ板の方向へだんだん厚さが増えることで、その底部のエッジ板の厚さが外周側板の厚さより厚いのであることを特徴とする安全靴用金属ヘッドとしている。
請求項６の考案は、請求項５に記載される安全靴用の金属ヘッドに関するものである、その上面板の厚さが底部のエッジ板の厚さより厚いのであることを特徴とする安全靴用金属ヘッドとしている。
【考案の効果】
【００１０】
本考案は安全靴用の金属ヘッドを提供するものである。それは金属ヘッドの元の幅サイズ及び型を変更しない状態で有効に圧力抵抗の強度を高めるし、アルミ又はアルミ合金の材質を使って軽量型の構造を達成することができるので、産業上の利用価値を持つのである。
【考案を実施するための最良の形態】
【００１１】
この考案が前述目的を達成するため、その用いる技術手段及びその効果を下記で実施例を挙げて、図面に合わせて説明する。
【００１２】
まず、図３、４をご参照ください。この考案の金属ヘッド（２０）も同じように安全靴のヘッド形状に合わせて作られたものである。基本的にその中にも一つの前部が狭く後部が広いU形のアーク状を呈する外周側板（２１）、一つの外周側板（２１）のトップ端から共同に内部へ伸ばす上面板（２２）、及び一つの外周側板（２１）底端から内部へ予定の幅を伸ばす底部のエッジ板（２３）を含むことで、その後端に一つのアーチ型の開口部（２４）を構成することで、足の指の入れる空間が形成される。
【００１３】
図５〜図８のベター実施例をご参照ください。主に、その金属ヘッド（２０）での上面板（２２）は外周側板（２１）の厚さより暑いのである。図の通りで、その金属ヘッド（２０）の外周側板（２１）と上面板（２２）の間にトップのアーク部（２５）で接続して一体になるし、そのトップのアーク部（２５）の外周側板（２１）から上面板（２２）の方向へだんだん厚さが増えることで、衝撃力を受ける主な上面板（２２）とするため、その圧力抵抗の強度を高めることができる。
【００１４】
この実施例の金属ヘッド（２０）はアルミ又はアルミ合金の材質を使用するし、鍛造又はダイカストで一体成型するので、上面板（２２）の厚さが増えるので、相対的に圧力抵抗の強度を高めるし、軽量化の構造を備えるのである。
【００１５】
又、この金属ヘッド（２０）の外周側板（２１）と底部のエッジ板（２３）の間に底のアーク部（２６）で接続し一体になる。更に、その底のアーク部（２６）の外周側板（２１）から底部のエッジ板（２３） の方向へだんだん厚さが増えることで、底部のエッジ板（２３）の圧力抵抗の強度を高めることができる。ベター実施例の中に、その上面板（２２）の厚さが底部のエッジ板（２３）の厚さより厚いのである。
【００１６】
この金属ヘッド（２０）を使用する場合、外周側板（２１）の幅及び厚さを増加することが必要ではないので、金属ヘッド（２０）の外観を変えることがない。その上面板（２２）及び底部のエッジ板（２３）の厚さを増加しなければならないが、その全体の外観に殆ど影響が出ないのである。
【００１７】
図４、５で示す金属ヘッド（２０）の構造の中に、その上面板（２２）の後部に一つの底部の斜面（２７）を設けることで、後端の開口部（２４）へ向かってだんだん厚さを縮めるので、その上面板（２２）の後部が外力にぶつかる場合、その底部の斜面（２７）を利用して、その凹む変形を許容する安全空間が増えることができる。又、その金属ヘッド（２０）の底部の斜面（２７）に１枚の保護条片（３０）（図８を参照する）を粘着することで、安全靴の皮に合わせて包むことができる。
【００１８】
この金属ヘッド（２０）の上面板（２２）及び外周側板（２１）の外部表面に複数の間隔がある凸条片（２８）（図９を参照する）を設けるか、上面板（２２）及び外周側板（２１）の内部表面に予め複数の凸条片（２９）（図１０を参照する）を設けることができるので、その凸条片（２８）、（２９）の設計によって、上面板（２２）の圧力抵抗の強度及び熱発散の効果を高めることができる。
【００１９】
図１１の金属ヘッド（２０）の構造の中に、その外周側板（２１）の底のアーク部（２６）から内部へ別一つの斜度のタイプである底部のエッジ板（２３０）を伸ばすことができる。
【００２０】
この考案は金属ヘッドの元の幅サイズ及び型を変更しない状態で有効に圧力抵抗の強度を高めるし、アルミ又はアルミ合金の材質を使って軽量型の構造を達成することができるので、産業上の利用価値を持つのである。
【図面の簡単な説明】
【００２１】
【図１】従来のスチール製ヘッドの立体図である。
【図２】図１の背面図である。
【図３】本考案のベター実施例の金属ヘッドの立体図である。
【図４】図３の金属ヘッドの背面図である。
【図５】図４の平面図である。
【図６】図３の断面図である。
【図７】図５の局部断面拡大図である。
【図８】図６の拡大図であるし、その上に保護条片を設ける。
【図９】本考案の別一つの実施例の金属ヘッドの立体図である。
【図１０】本考案の又一つの実施例の金属ヘッドの断面図である。
【図１１】本考案の再一つ実施例の金属ヘッドの局部断面拡大図である。
【符号の説明】
【００２２】
２０  金属ヘッド
２１  外周の側板
２２  上面板
２３  底部のエッジ板
２４  開口部
２５  トップのアーク部
２６  底のアーク部
２７  底部の斜面
２８  凸条片
２９  凸条片
２３０  底部のエッジ板
３０  保護条片
【図１】
0003120914.tif 000003
【図２】
0003120914.tif 000004
【図３】
0003120914.tif 000005
【図４】
0003120914.tif 000006
【図５】
0003120914.tif 000007
【図６】
0003120914.tif 000008
【図７】
0003120914.tif 000009
【図８】
0003120914.tif 000010
【図９】
0003120914.tif 000011
【図１０】
0003120914.tif 000012
【図１１】
0003120914.tif 000013